(57)【要約】【課題】端子を３段以上積層することが可能なコネクタを提供する。【解決手段】端子Ｔを収容可能なサブハウジングＳが上下に３段以上積層されて構成された積層ハウジング１１を備えるコネクタ１０であって、積層ハウジング１１は、最上段に配される最上段サブハウジングＳ１と、最上段サブハウジングＳ１に対向して配される中段サブハウジングＳ２と、最下段に配される最下段サブハウジングＳ３と、をサブハウジングＳとして備え、最上段サブハウジングＳ１は、中段サブハウジングＳ２の内部に収容された端子Ｔを抜け止めする抜止部３５を備え、中段サブハウジングＳ２は、最上段サブハウジングＳ１の内部に収容された端子Ｔと最下段サブハウジングＳ３の内部に収容された端子Ｔとを抜け止めする少なくとも一対の抜止部３５を備える。【選択図】図１０
2019067562.tif 000002
【特許請求の範囲】
【請求項１】
端子を収容可能なサブハウジングが上下に３段以上積層されて構成された積層ハウジングを備えるコネクタであって、
前記積層ハウジングは、最上段に配される最上段サブハウジングと、最上段サブハウジングに対向して配される中段サブハウジングと、最下段に配される最下段サブハウジングと、を前記サブハウジングとして備え、
前記最上段サブハウジングは、前記中段サブハウジングの内部に収容された前記端子を抜け止めする抜止部を備え、前記中段サブハウジングは、前記最上段サブハウジングの内部に収容された前記端子と前記最下段サブハウジングの内部に収容された前記端子とを抜け止めする少なくとも一対の抜止部を備えるコネクタ。
【請求項２】
前記最上段サブハウジングと前記中段サブハウジングとが積層された状態において、前記最上段サブハウジングに配された前記抜止部と、前記中段サブハウジングに配された前記一対の抜止部とは、前後方向において同じ位置に配される請求項１に記載のコネクタ。
【請求項３】
前記中段サブハウジングは、前記最上段サブハウジングに対向して配され前記端子を収容可能な第二段サブハウジングと、前記第二段サブハウジングと前記最下段サブハウジングの間に配され前記端子を収容可能な少なくとも一つの追加サブハウジングと、を備え、
前記追加サブハウジングの下面および前記第二段サブハウジングの下面には、それと対向して配された前記サブハウジングの内部に収容された端子を抜け止めする前記抜止部が互いに同一の抜止構造で設けられ、
前記追加サブハウジングの上面および前記最下段サブハウジングの上面には、それと対向して配された前記サブハウジングの前記抜止部を受け入れ可能な抜止受部が互いに同一の抜止受構造で設けられている請求項１または請求項２に記載のコネクタ。
【請求項４】
前記積層ハウジングに前記端子の側方を覆う側壁をそれぞれ備えて互いに左右に並んで配置可能な第一コネクタと第二コネクタとを備え、
前記第一コネクタの前記側壁と前記第二コネクタの前記側壁には、前後方向において互いに異なる位置に誤結防止部が埋め込み形成され、
前記誤結防止部は、前記サブハウジング毎に設けられ、それぞれ所定の積層順において互いに嵌合可能となる形状とされている請求項１から請求項３のいずれか一項に記載のコネクタ。
【発明の詳細な説明】
【技術分野】
【０００１】
本明細書に開示された技術は、コネクタに関する。
【背景技術】
【０００２】
従来、複数のハウジングを積層して構成され、各ハウジング内に端子を備えるコネクタとして、例えば特許文献１のものが知られている。このコネクタは、互いに積層状態に組み付けられる第１ハウジング本体と第２ハウジング本体とを備えている。
【０００３】
第１、第２ハウジング本体のそれぞれの内部には、左右に並び隔壁で仕切られた複数のキャビティが設けられ、各キャビティ内には端子金具が挿入されている。第１ハウジング本体において、第２ハウジング本体に対向して配される対向面には、各隔壁から第２ハウジング本体に向かって突出する抜止部と、各隔壁を凹ませた形態の抜止受部とが、左右に交互に並んで設けられている。また、第２ハウジング本体において、第１ハウジング本体に対向して配される対向面には、各隔壁から第１ハウジング本体に向かって突出する抜止部と、各隔壁を凹ませた形態の抜止受部とが、左右に交互に並んで設けられている。
【０００４】
第１、第２ハウジングの組み付け時には、第１抜止部が第２抜止受部に嵌合挿入されるとともに、第２抜止部が第１抜止受部に嵌合挿入される。これにより、第１、第２抜止部がそれぞれ第２、第１端子金具に対向して係止可能に配置され、もって第１、第２端子金具の第１、第２キャビティから後方への抜け出しが確実に規制されるようになっている。
【先行技術文献】
【特許文献】
【０００５】
【特許文献１】特開２０１７−４７３７号公報
【発明の概要】
【発明が解決しようとする課題】
【０００６】
しかしこの技術では、第１ハウジングと第２ハウジングとが互いの端子金具に係止することで各端子金具の抜け出しが規制されるため、ハウジングひいては端子金具を２段までしか積層することができない。
【０００７】
これに対しては、例えばサブハウジングの上面側には係止孔を設けるとともに、下面に上方に突出する抜止部を設けた構成とし、このサブハウジングを３段以上積層する構成が考えられる。この場合、各係止部をそれと対向して配されたサブハウジングの係止孔に上方から嵌合挿入させ、係止孔内の端子に係止させることで、最上段以外の端子を抜止することができる。しかしこの構成では、最上段に配されたサブハウジング内の端子は、他のサブハウジングによって抜止できない。したがって、端子を内部に収容せず最上段のサブハウジングに収容された端子を抜止するための係止部のみを備えた構成品が別途必要となり、構成品数が増加してしまう。
【課題を解決するための手段】
【０００８】
本明細書に開示された技術に係るコネクタは、端子を収容可能なサブハウジングが上下に３段以上積層されて構成された積層ハウジングを備えるコネクタであって、前記積層ハウジングは、最上段に配される最上段サブハウジングと、最上段サブハウジングに対向して配される中段サブハウジングと、最下段に配される最下段サブハウジングと、を前記サブハウジングとして備え、前記最上段サブハウジングは、前記中段サブハウジングの内部に収容された前記端子を抜け止めする抜止部を備え、前記中段サブハウジングは、前記最上段サブハウジングの内部に収容された前記端子と前記最下段サブハウジングの内部に収容された前記端子とを抜け止めする少なくとも一対の抜止部を備えることに特徴を有する。
【０００９】
この構成によれば、最上段サブハウジングが中段に配されたサブハウジングに収容された端子に係止するとともに、中段サブハウジングが、最上段サブハウジングに収容された端子と、中段サブハウジングの下面に対向して積層された最下段サブハウジングに収容された端子とに係止するから、３段のサブハウジングのみで構成された積層ハウジングにおいて各サブハウジングの内部に端子を収容することができる。
【００１０】
本明細書に開示された技術に係る実施態様として、次の構成が好ましい。
【００１１】
（１）前記最上段サブハウジングと前記中段サブハウジングとが積層された状態において、前記最上段サブハウジングに配された前記抜止部と、前記中段サブハウジングに配された前記一対の抜止部とは、前後方向において同じ位置に配される。
【００１２】
この構成によれば、前後方向において同じ位置に配された各抜止部に対応して、端子を積層ハウジング内において前後方向の位置を揃えて配置することができる。したがって、コネクタを前後方向に大型化することなく各端子の抜け止めをすることができる。
【００１３】
（２）前記中段サブハウジングは、前記最上段サブハウジングに対向して配され前記端子を収容可能な第二段サブハウジングと、前記第二段サブハウジングと前記最下段サブハウジングの間に配され前記端子を収容可能な少なくとも一つの追加サブハウジングと、を備え、前記追加サブハウジングの下面および前記第二段サブハウジングの下面には、それと対向して配された前記サブハウジングの内部に収容された端子を抜け止めする前記抜止部が互いに同一の抜止構造で設けられ、前記追加サブハウジングの上面および前記最下段サブハウジングの上面には、それと対向して配された前記サブハウジングの前記抜止部を受け入れ可能な抜止受部が互いに同一の抜止受構造で設けられている。
【００１４】
この構成によれば、追加サブハウジングを任意の数だけ追加して積層することで、４段以上のサブハウジングのみで構成された積層ハウジングにおいて各サブハウジングの内部に端子を収容することができる。
【００１５】
（３）前記積層ハウジングに前記端子の側方を覆う側壁をそれぞれ備えて互いに左右に並んで配置可能な第一コネクタと第二コネクタとを備え、前記第一コネクタの前記側壁と前記第二コネクタの前記側壁には、前後方向において互いに異なる位置に誤結防止部が埋め込み形成され、前記誤結防止部は、前記サブハウジング毎に設けられ、それぞれ所定の積層順において互いに嵌合可能となる形状とされている。
【００１６】
この構成によれば、第一コネクタおよび第二コネクタにはサブコネクタ毎に異なる形状の誤結防止部が設けられているから、各サブコネクタを積層する際に、誤った積層順とされることを防ぐことができる。また、第一コネクタの誤結防止部と第二コネクタの誤結防止部とは前後方向において互いに異なる位置に形成されているから、両コネクタ間における各サブハウジングの取り違えを防ぐことができる。さらに、各誤結防止部は各コネクタにおいて端子を覆う側壁から突出しないから、誤結防止部を設けてもコネクタが大型化しない。
【発明の効果】
【００１７】
本明細書に開示された技術に係るコネクタによれば、端子を３段以上積層することが可能なコネクタを提供することができる。
【図面の簡単な説明】
【００１８】
【図１】実施形態１のコネクタと中継コネクタを示す斜視図
【図２】コネクタを示す正面図
【図３】図２のＡ−Ａ断面図
【図４】最上段サブハウジングを示す斜視図
【図５】中段サブハウジングを示す斜視図
【図６】最下段サブハウジングを示す斜視図
【図７】最上段サブハウジングの上面および下面を示す図
【図８】中段サブハウジングの上面および下面を示す図
【図９】最下段サブハウジングの上面および下面を示す図
【図１０】各サブハウジングが正規に積層された状態を示す図
【図１１】実施形態２のコネクタを示す斜視図
【図１２】追加サブハウジングを示す斜視図
【図１３】実施形態３のコネクタを示す斜視図
【図１４】コネクタの側面図
【図１５】コネクタの平面図
【発明を実施するための形態】
【００１９】
＜実施形態１＞
以下、実施形態１を図１から図１０によって説明する。
【００２０】
本実施形態のジョイントコネクタ１０（コネクタの一例）は、車両内においてハーネス内における電線の接続に使用されるジョイントコネクタである。ジョイントコネクタ１０は、図１に示すように、１つの中継コネクタ２０の前後に設けられた嵌合凹部２１のそれぞれに対して、２つが左右に並んで嵌合可能に形成されている。各ジョイントコネクタ１０の内部には後述するように端子Ｔが収容されており、中継コネクタ２０の内部には図示しない中継端子が収容されている。中継コネクタ２０にジョイントコネクタ１０を嵌合すると、コネクタ内の端子Ｔと中継コネクタ２０内の中継端子とが導通可能に接続され、例えば１つのジョイントコネクタ１０から入力された信号を他のジョイントコネクタ１０に分岐して出力することができるようになっている。
【００２１】
各ジョイントコネクタ１０の天面には、上方に突出して前後に延びる１対のガイドリブ１２が設けられている。各ガイドリブ１２のうち、中継コネクタ２０の嵌合凹部２１に向かって左側に配される第一ジョイントコネクタ１０Ｌのガイドリブ１２Ｌと、右側に配される第二ジョイントコネクタ１０Ｒのガイドリブ１２Ｒは、中継コネクタ２０への嵌合方向に直交する方向において互いに若干異なった位置に設けられている。これにより、中継コネクタ２０内に挿入する際に第一ジョイントコネクタ１０Ｌと第二ジョイントコネクタ１０Ｒの取り違えを防ぐようになっている。なお、第一ジョイントコネクタ１０Ｌと第二ジョイントコネクタ１０Ｒのその他の構成は同一であるため、以下においては第一ジョイントコネクタ１０Ｌのみについて説明し、他方については説明を省略する。
【００２２】
第一ジョイントコネクタ１０Ｌは、図１に示すように、合成樹脂製の積層ハウジング１１を有し、この積層ハウジング１１は３種類のサブハウジングＳ１，Ｓ２，Ｓ３（以下「各サブハウジングＳ１〜Ｓ３」といい、略してサブハウジングＳという場合もある）を積層することにより構成されている。これらのサブハウジングＳは、正規に積層された状態において上段側から順に、最上段サブハウジングＳ１，中段サブハウジングＳ２，最下段サブハウジングＳ３とされている。ここで、上下方向とは、各サブハウジングＳの積層方向を基準として最上段サブハウジングＳ１側を上方とする。
【００２３】
各サブハウジングＳは、図２から図６に示すように、扁平な直方体形状をなしている。各サブハウジングＳはそれぞれ、前後方向に貫通し幅方向に並んで配置された６つのキャビティ３１と、各キャビティ３１の間に配された５つの隔壁３７と、を備えている。各キャビティ３１は、図２に示すように、各サブハウジングＳ１〜Ｓ３が正規に積層された場合に、他のサブハウジングＳの各キャビティ３１と上下に並ぶように配されている。各キャビティ３１には、後方から端子Ｔを収容可能である。
【００２４】
各キャビティ３１の上面側または下面側には、図３に示すように、ランス３２が上下方向に撓み可能に形成されている。ランス３２は端子Ｔに対して後方から係止することで、端子Ｔをキャビティ３１に抜止状態に保持可能である。
【００２５】
図４から図６に示すように、最上段サブハウジングＳ１の下面、中段サブハウジングＳ２の上面、および最下段サブハウジングＳ３の上面側には、各キャビティ３１を外方に連通させる抜止受部３４が形成されている。各キャビティ３１は、抜止受部３４を通じて各サブハウジングＳの外部に連通している。なお、本実施形態においては、各抜止受部３４は、各キャビティ３１の幅方向における半分を外方に連通させている。
【００２６】
また、最上段サブハウジングＳ１の下面、中段サブハウジングＳ２の上面、および中段サブハウジングＳ２の下面には、各サブハウジングＳが正規に積層された場合に、対向して配されたサブハウジングＳ（以下「相手側サブハウジングＳ」ということがある）の抜止受部３４を通じて相手側サブハウジングＳのキャビティ３１（以下、相手側キャビティ３１という）内に進入する抜止部３５が設けられている。抜止部３５は、図１０に示すように、隔壁３７または各サブハウジングＳの側壁３８と連結して設けられている。なお、本実施形態においては、各抜止部３５は、各キャビティ３１の幅方向における半分を閉鎖しつつ、相手側キャビティ３１に向かって真っ直ぐ突出している。抜止部３５は、図３に示すように、キャビティ３１に挿入された端子Ｔの角筒部に後方から係止することで、端子Ｔをキャビティ３１に抜止状態に保持可能である。
【００２７】
なお、前述のランス３２は、図４から図６に示すように、各サブハウジングＳにおいて、キャビティ３１が抜止受部３４により外方に連通された側（すなわち、最上段サブハウジングＳ１においては下面側、中段サブハウジングＳ２においては上面側、および最下段サブハウジングＳ３においては上面側）に設けられている。これにより、端子Ｔは、ランス３２による係止と抜止部３５による係止とにより、二重で抜止状態に保持される。
【００２８】
最上段サブハウジングＳ１の下面には、図４（Ｂ）に示すように、抜止受部３４と抜止部３５とが左右に互い違いに並んで配されている。詳しくは、図７（Ｂ）に示すように、隣り合う２つのキャビティ３１を幅方向における半分ずつ閉鎖して外方に突出する幅広抜止部３５Ｃが２つ、互いから離間して配されている。その両側には、１つのみのキャビティ３１の幅方向における半分を閉鎖して外方に突出する幅狭抜止部３５Ｄが、各幅広抜止部３５Ｃから離間して配されている。そして、各抜止部３５Ｃ，３５Ｄの各間隙に、隣り合う２つのキャビティ３１を外方に連通させる幅広抜止受部３４Ｃが配されている。なお以下においては、幅広抜止部３５Ｃおよび幅狭抜止部３５Ｄの構成およびそれらの配置関係を、下方抜止構造３５Ａという。
【００２９】
これと対応して、中段サブハウジングＳ２の上面においては、図５（Ａ）に示すように、抜止部３５と抜止受部３４とが左右に互い違いに並んで配されている。詳しくは、図８（Ａ）に示すように、上述の幅広抜止受部３４Ｃが２つ、互いから離間して配され、その両側には１つのみのキャビティ３１を外方に連通させる幅狭抜止受部３４Ｄが、各幅広抜止受部３４Ｃから離間して配されている。そして、各抜止受部３４Ｃ，３４Ｄの間に、上述の幅広抜止部３５Ｃが配されている。なお以下においては、幅広抜止受部３４Ｃおよび幅狭抜止受部３４Ｄの構成およびそれらの配置関係を、まとめて上方抜止受構造３４Ａという。
【００３０】
中段サブハウジングＳ２の下面においては、図５（Ｂ）に示すように、抜止受部３４は配されず、抜止部３５が左右に間欠的に並んで配されている。詳しくは、図８（Ｂ）に示すように、抜止部３５として最上段サブハウジングＳ１の下面（図７（Ｂ）参照）と同様の下方抜止構造３５Ａが配されるとともに、下方抜止構造３５Ａ内の間隙（すなわち各抜止部３５Ｃ，３５Ｄの間）には、中段サブハウジングＳ２の底壁と前後に連結して形成された下面閉鎖部３６Ｌが配されている。下面閉鎖部３６Ｌは、図１０に示すように、左右方向の中央部が隔壁３７と連結されるとともに、左右方向の両端部が各抜止部３５Ｃ，３５Ｄと連結されて、各抜止部３５Ｃ，３５Ｄとともに各キャビティ３１を全幅に亘って閉鎖している。
【００３１】
最下段サブハウジングＳ３の上面においては、図６（Ａ）に示すように、抜止部３５は配されず、抜止受部３４が左右に間欠的に並んで配されている。詳しくは、図９（Ａ）に示すように、抜止受部３４として中段サブハウジングＳ２の上面（図８（Ａ）参照）と同様の上方抜止受構造３４Ａが配されるとともに、上方抜止受構造３４Ａ内の間隙（すなわち各抜止受部３４Ｃ，３４Ｄの間）には、最下段サブハウジングＳ３の天井壁部と連結して形成された上面閉鎖部３６Ｕが配されている。上面閉鎖部３６Ｕは、図１０に示すように、左右方向の中央部が隔壁３７と連結され、各キャビティ３１の幅方向における半分を閉鎖している。
【００３２】
図１０に示すように、各サブハウジングＳ内に端子Ｔが収容され、各サブハウジングＳ１〜Ｓ３が正規に積層された場合、最上段サブハウジングＳ１の各キャビティ３１と中段サブハウジングＳ２の各キャビティ３１の間においては、最上段サブハウジングＳ１の抜止部３５と中段サブハウジングＳ２の抜止部３５とが、左右に互い違いに並んでいる。そして、最上段サブハウジングＳ１の抜止部３５が、中段サブハウジングＳ２のキャビティ３１において端子Ｔの幅の略半分に係止するとともに、中段サブハウジングＳ２の抜止部３５が最上段サブハウジングＳ１のキャビティ３１において端子Ｔの幅の略半分に下方から係止している。
【００３３】
また、中段サブハウジングＳ２の各キャビティ３１と最下段サブハウジングＳ３の各キャビティ３１の間においては、中段サブハウジングＳ２の下面閉鎖部３６Ｌに対して最下段サブハウジングＳ３の上面閉鎖部３６Ｕが当接し、中段サブハウジングＳ２からの荷重を隔壁３７に伝えている。そして、中段サブハウジングＳ２の抜止部３５が、最下段サブハウジングＳ３のキャビティ３１において、端子Ｔの幅略半分に係止している。
【００３４】
各サブハウジングＳ１〜Ｓ３が正規に積層された状態において、最上段サブハウジングＳ１の抜止部３５、中段サブハウジングＳ２の上面の抜止部３５、および下面の抜止部３５は、図３に示すように、前後方向において前端位置が揃うように配置されている。
【００３５】
このように、本実施形態に係るコネクタ１０は、端子Ｔを収容可能なサブハウジングＳが上下に３段以上積層されて構成された積層ハウジング１１を備えるコネクタ１０であって、前記積層ハウジング１１は、最上段に配される最上段サブハウジングＳ１と、最上段サブハウジングＳ１に対向して配される中段サブハウジングＳ２と、最下段に配される最下段サブハウジングＳ３と、を前記サブハウジングＳとして備え、前記最上段サブハウジングＳ１は、前記中段サブハウジングＳ２の内部に収容された前記端子Ｔを抜け止めする抜止部３５を備え、前記中段サブハウジングＳ２は、前記最上段サブハウジングＳ１の内部に収容された前記端子Ｔと前記最下段サブハウジングＳ３の内部に収容された前記端子Ｔとを抜け止めする少なくとも一対の抜止部３５を備える。
【００３６】
この構成によれば、最上段サブハウジングＳ１が中段に配された中段サブハウジングＳ２に収容された端子Ｔに係止するとともに、中段サブハウジングＳ２が、最上段サブハウジングＳ１に収容された端子Ｔと、中段サブハウジングＳ２の下面に対向して積層された最下段サブハウジングＳ３に収容された端子Ｔとに係止するから、３段のサブハウジングＳのみで構成された積層ハウジング１１において各サブハウジングＳの内部に端子Ｔを収容することができる。
【００３７】
また、前記最上段サブハウジングＳ１と前記中段サブハウジングＳ２とが積層された状態において、前記最上段サブハウジングＳ１に配された前記抜止部３５と、前記中段サブハウジングＳ２に配された前記一対の抜止部３５とは、前後方向において同じ位置に配される。
【００３８】
この構成によれば、前後方向において同じ位置に配された各抜止部３５に対応して、端子Ｔを積層ハウジング内において前後方向の位置を揃えて配置することができる。したがって、コネクタ１０を前後方向に大型化することなく各端子Ｔの抜け止めをすることができる。
【００３９】
＜実施形態２＞
次に、実施形態２を図１１によって説明する。本実施形態のコネクタ１１０は、図１１に示すように、実施形態１の積層ハウジング１１に追加サブハウジングＳ４を追加し、４つのサブハウジングＳを積層した構成としている。実施形態１と同じ構成、作用、および効果についてはその説明を省略するものとし、実施形態１と同じ構成については同一の名称および符号を用いるものとする。
【００４０】
本実施形態の積層ハウジング１１１は、最上段サブハウジングＳ１と、中段サブハウジングＳ２（第二段サブハウジングの一例）と、追加サブハウジングＳ４と、最下段サブハウジングＳ３とを備えて構成されている。追加サブハウジングＳ４は、図１１に示すように、扁平な直方体形状をなしている。追加サブハウジングＳ４は、前後方向に貫通し幅方向に並んで配置された６つのキャビティ３１と、各キャビティ３１の間に配された５つの隔壁３７とを備えている。追加サブハウジングＳ４の各キャビティ３１は、端子Ｔを収容可能である。
【００４１】
追加サブハウジングＳ４の上面は、図１２（Ａ）に示すように、最下段サブハウジングＳ３の上面（図６（Ａ）参照）と同様の構成となっている。すなわち、図９（Ａ）に示すように、抜止受部３４として上方抜止受構造３４Ａが設けられるとともに、上方抜止受構造３４Ａ内の間隙（すなわち各抜止受部３４Ｃ，３４Ｄの間）には、追加サブハウジングＳ４の天井壁部と連結して形成された上面閉鎖部３６Ｕが設けられている。
【００４２】
追加サブハウジングＳ４の下面は、図１２（Ｂ）に示すように、中段サブハウジングＳ２の下面（図５（Ｂ）参照）と同様の構成となっている。すなわち、図８（Ｂ）に示すように、抜止部３５として下方抜止構造３５Ａが設けられるとともに、下方抜止構造３５Ａ内の間隙（すなわち、抜止部３５Ｃ、３５Ｄの間）には、追加サブハウジングＳ４の底壁と連結して形成された下面閉鎖部３６Ｌが設けられている。
【００４３】
これにより、追加サブハウジングＳ４は、中段サブハウジングＳ２と最下段サブハウジングＳ３との間に追加可能となっている。言い換えれば、実施形態１で説明した中段サブハウジングＳ２は、本実施形態においては中段サブハウジングＳ２と１つの追加サブハウジングＳ４とによって構成され、全体としてその内部に２段の端子が収容されている。
【００４４】
すなわち、各サブハウジングＳ１，Ｓ２，Ｓ４，Ｓ３が下方に向かってこの順で正規に積層された場合、中段サブハウジングＳ２の下面に設けられた下方抜止構造３５Ａが、追加サブハウジングＳ４の上面に設けられた上方抜止受構造３４Ａに嵌合する。これにより、追加サブハウジングＳ４内に収容された端子Ｔが、中段サブハウジングＳ２の抜止部３５に係止されて抜け止めされる。同様に、追加サブハウジングＳ４の下面に設けられた下方抜止構造３５Ａが、最下段サブハウジングＳ３の上面に設けられた上方抜止受構造３４Ａに嵌合する。これにより、最下段サブハウジングＳ３内に収容された端子Ｔが、追加サブハウジングＳ４の抜止部３５に係止されて抜止される。
【００４５】
なお、積層ハウジング１１１における追加ハウジングの使用可能数は１つに限定されず、中段サブハウジングＳ２と最下段サブハウジングＳ３の間に任意の数の追加サブハウジングＳ４を追加して使用することが可能である。これにより、例えば上述のように積層された追加サブハウジングＳ４と最下段サブハウジングＳ３との間にさらに別の追加サブハウジングＳ４を１つ追加した場合、５つのサブハウジングＳを積層してなる積層ハウジングとなる。
【００４６】
このように、本実施形態によれば、前記中段サブハウジングＳ２は、前記最上段サブハウジングＳ１に対向して配され前記端子Ｔを収容可能な第二段サブハウジングＳ２と、前記第二段サブハウジングＳ２と前記最下段サブハウジングＳ３の間に配され前記端子Ｔを収容可能な少なくとも一つの追加サブハウジングＳ４と、を備え、
前記追加サブハウジングＳ４の下面および前記第二段サブハウジングＳ２の下面には、それと対向して配された前記サブハウジングＳの内部に収容された端子Ｔを抜け止めする前記抜止部３５が互いに同一の抜止構造３５Ａで設けられ、
前記追加サブハウジングＳ４の上面および前記最下段サブハウジングＳ３の上面には、それと対向して配された前記サブハウジングＳの前記抜止部３５を受け入れ可能な抜止受部３４が互いに同一の抜止受構造３４Ａで設けられている。
【００４７】
この構成によれば、追加サブハウジングＳ４を任意の数だけ追加して積層することで、４段以上のサブハウジングＳのみで構成された積層ハウジング１１１において各サブハウジングＳの内部に端子Ｔを収容することができる。
【００４８】
＜実施形態３＞
次に、本明細書に開示された技術に係る実施形態２を図１２から図１４によって説明する。本実施形態のコネクタ２１０は、実施形態１の第一ジョイントコネクタ１０Ｌと第二ジョイントコネクタ１０Ｒに、互いに異なる位置に誤結防止部２４０Ｌ，２４０Ｒを設け、各サブハウジングＳを積層する際に左右に隣り合うサブハウジングＳ１〜Ｓ３の取り違えを防ぐ構成としたものである。実施形態１と対応する構成については、実施形態１の符号に２００を足した符号を用いるものとする。実施形態１と同じ構成、作用、および効果についてはその説明を省略するものとし、実施形態１と同じ構成については同一の名称および符号を用いるものとする。
【００４９】
本実施形態の第一ジョイントコネクタ２１０Ｌには、図１３（Ｂ）に示すように、第一誤結防止部２４０Ｌが設けられ、第二ジョイントコネクタ２１０Ｒには、図１３（Ａ）に示すように、第二誤結防止部２４０Ｒが設けられている。第一誤結防止部２４０Ｌと第二誤結防止部２４０Ｒは、第一ジョイントコネクタ２１０Ｌと第二ジョイントコネクタ２１０Ｒとが前面を揃えて配置された状態において、前後方向において互いに異なる位置に設けられている。なお、第二誤結防止部２４０Ｒのその他の構成は第一誤結防止部２４０Ｌと同様であるため、以下においては第一誤結防止部２４０Ｌのみについて説明し、第二誤結防止部２４０Ｒの構成については符号のＬをＲに代えた図示のみとして説明を省略する。
【００５０】
第一誤結防止部２４０Ｌは、側方突部２４１Ｌと、嵌合凹部２４２Ｌと、下方突部２４３Ｌとによって構成されている。そして、これらのうち一つまたは複数が、第一積層ハウジング２１１Ｌを構成する各第一サブハウジングＳ２０１Ｌ、Ｓ２０２Ｌ，Ｓ２０３Ｌのそれぞれに配されている。
【００５１】
詳しくは、図１４（Ｂ）に示すように、第一最上段サブハウジングＳ２０１Ｌの左右両側壁２３８Ｌには、図１５（Ｂ）に示すように、側方突部２４１Ｌが下方に突出することなく外側方に突出して設けられている。
【００５２】
第一中段サブハウジングＳ２０２Ｌの左右両側壁２３８Ｌには、嵌合凹部２４２Ｌと、下方突部２４３Ｌと、が設けられている。嵌合凹部２４２Ｌは、第一中段サブハウジングＳ２０２Ｌの両側壁２３８Ｌを内側に向かって陥没させた形状に形成され、上方に向かって開口して側方突部２４１Ｌを上方から受け入れ可能となっている。下方突部２４３Ｌは、第一中段サブハウジングＳ２０２Ｌの両側壁２３８Ｌの一部を外側方に突出させることなく下方に突出し、その突出形状は、嵌合凹部２４２Ｌに嵌合可能な形状とされている。
【００５３】
第一最下段サブハウジングＳ２０３Ｌの左右両側壁２３８Ｌには、嵌合凹部２４２Ｌのみが設けられている。この嵌合凹部２４２Ｌは、第一中段サブハウジングＳ２０２Ｌに設けられた嵌合凹部２４２Ｌと同形状とされている。
【００５４】
各第一サブハウジングＳ２０１Ｌ〜Ｓ２０３Ｌが正規に積層された状態において、第一最上段サブハウジングＳ２０１Ｌの側方突部２４１Ｌは、第一中段サブハウジングＳ２０２Ｌの嵌合凹部２４２Ｌに上方から嵌合している。第一中段サブハウジングＳ２０２Ｌの下方突部２４３Ｌは、第一最下段サブハウジングＳ２０３Ｌの嵌合凹部２４２Ｌに上方から嵌合している。各側方突部２４１Ｌの突出端は、第一中段サブハウジングＳ２０２Ｌの各側壁２３８Ｌと面一となっている。これにより、第一誤結防止部２４０Ｌは全体が第一積層ハウジング２１１Ｌの両側壁２３８から突出しない構成となっている。
【００５５】
すなわち、本実施形態によれば、前記積層ハウジング２１１に前記端子Ｔの側方を覆う側壁２３８をそれぞれ備えて互いに左右に並んで配置可能な第一コネクタ２１０Ｌと第二コネクタ２１０Ｒとを備え、前記第一コネクタ２１０Ｌの前記側壁２３８Ｌと前記第二コネクタ２１０Ｒの前記側壁２３８Ｒには、前後方向において互いに異なる位置に誤結防止部２４０が埋め込み形成され、前記誤結防止部２４０は、前記サブハウジングＳ毎に設けられ、それぞれ所定の積層順において互いに嵌合可能となる形状とされている。
【００５６】
この構成によれば、第一ジョイントコネクタ２１０Ｌおよび第二ジョイントコネクタ２１０ＲにはサブコネクタＳ毎に異なる形状の誤結防止部２４１〜２４３が設けられているから、各サブコネクタＳを積層する際に、誤った積層順とされることを防ぐことができる。また、第一ジョイントコネクタ２１０Ｌの誤結防止部２４０Ｌと第二ジョイントコネクタ２１０Ｒの誤結防止部２４０Ｒとは前後方向において互いに異なる位置に形成されているから、両ジョイントコネクタ２１０Ｒ，２１０Ｌ間における各サブハウジングＳの取り違えを防ぐことができる。さらに、各誤結防止部２４０は各ジョイントコネクタ２１０Ｌ、２１０Ｒにおいて端子Ｔを覆う側壁２３８Ｌ，２４８Ｒから突出しないから、誤結防止部２４０を設けてもジョイントコネクタ２１０Ｒ，２１０Ｌが大型化しない。
【００５７】
＜他の実施形態＞
本明細書に開示された技術は上記記述及び図面によって説明した実施形態に限定されるものではなく、例えば次のような形態で実施することが可能である。
【００５８】
（１）実施形態１〜３においては、各サブハウジングＳの各抜止部３５は各サブハウジングＳが正規に積層された場合に前後方向において同じ位置に配される構成としたが、各抜止部は必ずしも前後方向において同じ位置に配されなくてもよい。また、各抜止部が各端子Ｔの幅方向における半分のみに係止する構成としなくてもよい。したがって、例えば、最上段サブハウジングの下面に設けられた各抜止部と、中段サブハウジングの上面に設けられた各抜止部を、前後方向において互い違いになるように配置してもよい。この場合は各抜止部が各端子の全幅に亘って係止することができるから、端子をより確実に抜止することができる。
【００５９】
（２）実施形態１〜３においては、下方抜止構造３５Ａを、幅広抜止部３５Ｃの両側に幅狭抜止部３５Ｄを並べて設けた構造としたが、下方抜止構造３５Ａはこれに限らない。例えば、下方抜止構造を幅広抜止部のみによって構成してもよく、または幅狭抜止部のみによって構成してもよい。または、対向して配されたサブハウジング内の各端子を個別に全幅に亘って係止する全幅抜止部を複数設けてもよいし、または対向して配されたサブハウジング内のすべての端子に一括して係止する一括抜止部を一つ設けてもよい。
【００６０】
（３）実施形態１〜３においては、最上段サブハウジングＳ１の下面の抜止部３５を、中段サブハウジング（第二段サブハウジング）Ｓ２の下面と同様の下方抜止構造３５Ａとし、中段サブハウジング（第二段サブハウジング）Ｓ２の上面の抜止受部３４を最下段サブハウジングＳ３の上面と同様の上方抜止構造３４Ａとしたが、最上段サブハウジングの下面の抜止部が中段サブハウジング（第二段サブハウジング）の下面と同じ構造である必要はなく、また中段サブハウジング（第二段サブハウジング）の上面の抜止受部が最下段サブハウジングの上面と同様の構造である必要はない。要は、追加サブハウジングを設けた場合、追加サブハウジングの上面の抜止受部が最下段サブハウジングの上面の抜止受部と同様の抜止受構造とされ、追加サブハウジングの下面の抜止部が第二段サブハウジングの下面の抜止部と同様の抜止構造とされればよい。
【符号の説明】
【００６１】
１０：  ジョイントコネクタ（コネクタ）
１１：  積層ハウジング
３４：  抜止受部
３４Ａ：  上方抜止受構造（抜止受構造）
３５：  抜止部
３５Ａ：  下方抜止構造（抜止構造）
２１０Ｌ：  第一ジョイントコネクタ（第一コネクタ）
２１０Ｒ：  第二ジョイントコネクタ（第二コネクタ）
２３８：  側壁
２４０（２４０Ｌ、２４０Ｒ）：  誤結防止部
Ｓ：  サブハウジング
Ｓ１：  最上段サブハウジング
Ｓ２：  中段サブハウジング（第二段サブハウジング）
Ｓ４：  追加サブハウジング
Ｓ３：  最下段サブハウジング
Ｔ：  端子
【図１】
2019067562.tif 000003
【図２】
2019067562.tif 000004
【図３】
2019067562.tif 000005
【図４】
2019067562.tif 000006
【図５】
2019067562.tif 000007
【図６】
2019067562.tif 000008
【図７】
2019067562.tif 000009
【図８】
2019067562.tif 000010
【図９】
2019067562.tif 000011
【図１０】
2019067562.tif 000012
【図１１】
2019067562.tif 000013
【図１２】
2019067562.tif 000014
【図１３】
2019067562.tif 000015
【図１４】
2019067562.tif 000016
【図１５】
2019067562.tif 000017